(57)【特許請求の範囲】
【請求項１】
フレームと、
前記フレームに回転可能に設けられる感光体と、
前記感光体の軸線方向に沿って配置される帯電ワイヤ、および、前記帯電ワイヤと前記感光体との間に配置されるグリッドを備え、前記フレームに支持される帯電器と、
前記帯電ワイヤと電気的に接続されるとともに、前記フレームに支持され、前記フレームから露出するワイヤ側電気接点を有するワイヤ電極と、
前記グリッドと電気的に接続されるとともに、前記フレームに支持され、前記フレームから露出するグリッド側電気接点を有し、前記グリッドと別部材として設けられるグリッド電極と、を備え、
前記軸線方向から見て、前記軸線方向と直交する方向において、前記帯電ワイヤと前記ワイヤ側電気接点との間隔が、前記帯電ワイヤと前記グリッド側電気接点との間隔よりも短く、
前記グリッド電極は、前記グリッドを前記軸線方向に沿って付勢する、導電性の付勢部材を備え、
前記グリッドには、前記付勢部材と係合する係合部が設けられ、
前記グリッドは、前記帯電ワイヤと前記感光体との間に配置される線条部と、前記線条部を支持する枠部とを備え、
前記係合部は、前記枠部の前記軸線方向端部から、前記軸線方向に沿って突出する突出部であり、
前記付勢部材は、前記突出部が設けられる前記枠部の前記軸線方向端部を付勢するように配置されている
ことを特徴とする、感光体カートリッジ。
【請求項２】
前記軸線方向に投影したときに、前記帯電ワイヤと前記ワイヤ側電気接点とを結ぶ線分と、前記帯電ワイヤと前記グリッド側電気接点とを結ぶ線分とが形成する角度が、９０度以上１８０度以下であることを特徴とする、請求項１に記載の感光体カートリッジ。
【請求項３】
前記フレームは、被嵌合部を有し、
前記枠部には、前記被嵌合部と嵌合することで、前記軸線方向における、前記フレームに対する前記グリッドの相対移動を規制する規制突部が設けられ、
前記規制突部は、前記線条部から前記帯電ワイヤに向かう方向に突出するように形成されていることを特徴とする、請求項１または２に記載の感光体カートリッジ。
【請求項４】
前記フレームは、前記感光体に対する前記グリッドの相対配置を位置決めする位置決め突部を備え、
前記位置決め突部は、前記枠部の前記感光体側の表面を支持することを特徴とする、請求項１ないし３のいずれか一項に記載の感光体カートリッジ。
【請求項５】
前記フレームは、前記付勢部材を収容する収容部と、前記グリッド側電気接点を保持する保持部とを備え、
前記グリッド電極は、前記付勢部材と前記グリッド側電気接点とを連結する導電性の腕部を備え、
前記付勢部材は、前記収容部に収容され、前記係合部と係合した状態において、回動可能なばね部材であり、
前記グリッド側電気接点は、前記付勢部材が回動されることで前記腕部とともに回動し、前記保持部に保持されていることを特徴とする、請求項１ないし４のいずれか一項に記載の感光体カートリッジ。
【請求項６】
前記グリッド側電気接点は、それぞれ導電性の線状部材であり、並列配置される第１グリッド側電気接点および第２グリッド側電気接点を備えることを特徴とする、請求項１ないし５のいずれか一項に記載の感光体カートリッジ。
【請求項７】
前記ワイヤ側電気接点は、それぞれ導電性の線状部材であり、並列配置される第１ワイヤ側電気接点および第２ワイヤ側電気接点を備えることを特徴とする、請求項１ないし６のいずれか一項に記載の感光体カートリッジ。
【請求項８】
請求項１ないし７のいずれか一項に記載の感光体カートリッジと、
前記感光体カートリッジに着脱可能であり、前記感光体カートリッジに装着された状態において、前記感光体に対向配置される現像剤担持体を備える現像カートリッジと、を備えることを特徴とする、プロセスカートリッジ。
【請求項９】
請求項８に記載のプロセスカートリッジと、
前記プロセスカートリッジが着脱可能であり、本体側第１電気接点と本体側第２電気接点とを備える装置本体と、を備え、
前記プロセスカートリッジが前記装置本体に装着された状態において、前記本体側第１電気接点と前記ワイヤ側電気接点とが接触し、前記本体側第１電気接点と前記帯電ワイヤとが電気的に接続されるとともに、前記本体側第２電気接点と前記グリッド側電気接点とが接触し、前記本体側第２電気接点と前記グリッドとが電気的に接続されることを特徴とする、画像形成装置。
【発明の詳細な説明】
【技術分野】
【０００１】
本発明は、電子写真方式が採用される画像形成装置、および、その画像形成装置に装着される感光体カートリッジおよびプロセスカートリッジに関する。
【背景技術】
【０００２】
電子写真方式のカラープリンタに装着されるプロセスカートリッジとして、例えば、感光ドラムと、スコロトロン型帯電器と、感光ドラムおよびスコロトロン型帯電器を支持するドラムフレームとを備えるプロセスカートリッジが提案されている（例えば、特許文献１参照）。このようなスコロトロン型帯電器は、帯電ワイヤと、グリッドと、帯電ワイヤと別体として設けられ、帯電ワイヤに電圧を印加するためのワイヤ電極と、グリッドと一体として設けられ、グリッドに電圧を印加するためのグリッド電極とを備えている。
【０００３】
そして、そのようなプロセスカートリッジでは、装置本体に装着された状態において、ドラムフレームから露出する、ワイヤ電極のワイヤ側本体接続部およびグリッド電極のグリッド側本体接続部が、装置本体に設けられる本体電極とそれぞれ接触することで、帯電ワイヤおよびグリッドに電圧が印加される。
【先行技術文献】
【特許文献】
【０００４】
【特許文献１】特開２００９−１５７３１６号公報
【発明の概要】
【発明が解決しようとする課題】
【０００５】
しかるに、ワイヤ側本体接続部はグリッド側本体接続部と比べて高電圧が印加されるので、ワイヤ側本体接続部とグリッド側本体接続部とを近傍に配置すると、ワイヤ側本体接続部からグリッド側本体接続部に電流がリークする場合がある。
【０００６】
そのため、特許文献１に記載のプロセスカートリッジでは、ワイヤ電極を延設し、帯電ワイヤとワイヤ側本体接続部との間隔を所定距離離間させることで、グリッド側本体接続部とワイヤ側本体接続部との絶縁距離を確保している。
【０００７】
しかし、帯電ワイヤとワイヤ側本体接続部との間隔は、それらを接続するワイヤ電極に高電圧が印加されることから、短く形成されることが望ましい。
【０００８】
そこで、本発明の目的は、帯電ワイヤとワイヤ側電気接点との間隔を短く形成しても、ワイヤ側電気接点からグリッド側電気接点への電流のリークを防止することができる感光体カートリッジ、および、その感光体カートリッジを備えるプロセスカートリッジおよび画像形成装置を提供することにある。
【課題を解決するための手段】
【０００９】
（１）上記目的を達成するために、本発明の感光体カートリッジは、フレームと、前記フレームに回転可能に設けられる感光体と、前記感光体の軸線方向に沿って配置される帯電ワイヤ、および、前記帯電ワイヤと前記感光体との間に配置されるグリッドを備え、前記フレームに支持される帯電器と、前記帯電ワイヤと電気的に接続されるとともに、前記フレームに支持され、前記フレームから露出するワイヤ側電気接点を有するワイヤ電極と、前記グリッドと電気的に接続されるとともに、前記フレームに支持され、前記フレームから露出するグリッド側電気接点を有するグリッド電極と、を備えている。
【００１０】
また、前記軸線方向から見て、前記軸線方向と直交する方向において、前記帯電ワイヤと前記ワイヤ側電気接点との間隔が、前記帯電ワイヤと前記グリッド側電気接点との間隔よりも短く形成されている。
【００１１】
このような構成によれば、高電圧が印加される帯電ワイヤとワイヤ側電気接点との間隔を短くしても、帯電ワイヤとグリッド側電気接点との間隔が、帯電ワイヤとワイヤ側電気接点との間隔よりも長く形成されているので、ワイヤ側電気接点とグリッド側電気接点との絶縁距離を確保することができる。つまり、帯電ワイヤと比べて低電圧が印加されるグリッドとグリッド側電気接点との間隔を長く形成して、帯電ワイヤとグリッド側電気接点との間隔を離間することで、ワイヤ側電気接点とグリッド側電気接点との絶縁距離を確保することができる。
【００１２】
従って、本発明の感光体カートリッジは、帯電ワイヤとワイヤ側電気接点との間隔を短くしても、ワイヤ側電気接点からグリッド側電気接点への電流のリークを防止することができる。
（２）また、前記軸線方向に投影したときに、前記帯電ワイヤと前記ワイヤ側電気接点とを結ぶ線分と、前記帯電ワイヤと前記グリッド側電気接点とを結ぶ線分とが形成する角度が、９０度以上１８０度以下であってもよい。
【００１３】
このような構成によれば、ワイヤ側電気接点とグリッド側電気接点との絶縁距離を、確実に確保することができる。
（３）また、前記グリッド電極は、前記グリッドと別部材として設けられていてもよい。
【００１４】
このような構成によれば、グリッド電極がグリッドと一体として形成される場合と比較して、グリッドとグリッド側電気接点とを容易に離間して配置することができる。
【００１５】
そのため、ワイヤ側電気接点とグリッド側電気接点との絶縁距離を、確実に確保することができる。
（４）また、前記グリッド電極は、前記グリッドを前記軸線方向に沿って付勢する、導電性の付勢部材を備えていてもよい。
【００１６】
このような構成によれば、付勢部材により、グリッドが感光体の軸線方向に沿って付勢される。
【００１７】
そのため、付勢力により、グリッドがフレームに圧接されて、グリッドのガタつきが抑制されるとともに、グリッドを感光体に対して精度よく位置決めできる。そのため、感光体の帯電不良を防止することができる。
（５）また、前記グリッドには、前記付勢部材と係合する係合部が設けられていてもよい。
【００１８】
このような構成によれば、付勢部材と係合部とが係合するので、付勢部材および係合部を介して、グリッド電極とグリッドとが電気的に接続される。
【００１９】
そのため、グリッドを感光体に対して精度よく位置決することができながら、グリッド電極とグリッドとを確実に電気的に接続することができる。
（６）また、前記グリッドは、前記帯電ワイヤと前記感光体との間に配置される線条部と、前記線条部を支持する枠部とを備えていてもよく、前記係合部は、前記枠部の前記軸線方向端部から、前記軸線方向に沿って突出する突出部であってもよい。この場合、前記付勢部材は、前記突出部が設けられる前記枠部の前記軸線方向端部を付勢するように配置されている。
【００２０】
このような構成によれば、付勢部材は、枠部における感光体の軸線方向端部を、感光体の軸線方向に沿って付勢するので、その付勢力が精度よくグリッドに作用する。
【００２１】
そのため、グリッドのガタつきが抑制されるとともに、グリッドを感光体に対して精度よく位置決めできる。
（７）また、前記フレームは、被嵌合部を有し、前記枠部には、前記被嵌合部と嵌合することで、前記軸線方向における、前記フレームに対する前記グリッドの相対移動を規制する規制突部が設けられ、前記規制突部は、前記線条部から前記帯電ワイヤに向かう方向に突出するように形成されていてもよい。
【００２２】
このような構成によれば、被嵌合部に規制突部が嵌合することで、感光体の軸線方向における、フレームに対するグリッドの相対移動が規制される。そのため、グリッドを感光体に対して精度良く位置決めできる。
（８）また、前記フレームは、前記感光体に対する前記グリッドの相対配置を位置決めする位置決め突部を備えていてもよい。この場合、前記位置決め突部は、前記枠部の前記感光体側の表面を支持する。
【００２３】
このような構成によれば、グリッドの最も感光体の近傍に位置する表面が、位置決め突部により支持される。
【００２４】
そのため、簡易な構成でありながら、グリッドと感光体との間隔を精度よく設定できるので、感光体に対する前記グリッドの位置決め精度の向上をはかることができる。
（９）また、前記フレームは、前記付勢部材を収容する収容部と、前記グリッド側電気接点を保持する保持部とを備え、前記グリッド電極は、前記付勢部材と前記グリッド側電気接点とを連結する導電性の腕部を備え、前記付勢部材は、前記収容部に収容され、前記係合部と係合した状態において、回動可能なばね部材であり、前記グリッド側電気接点は、前記付勢部材が回動されることで前記腕部とともに回動し、前記保持部に保持されていてもよい。
【００２５】
このような構成によれば、グリッド電極をフレームに円滑に装着でき、付勢部材およびグリッド側電気接点を所定の位置に配置することができる。
（１０）また、前記グリッド側電気接点は、それぞれ導電性の線状部材であり、並列配置される第１グリッド側電気接点および第２グリッド側電気接点を備えていてもよい。
【００２６】
このような構成によれば、簡易な構成でありながら、感光体カートリッジを備えるプロセスカートリッジが、装置本体に装着された状態において、本体側第２電気接点とグリッド側電気接点とを確実に接触させることができ、本体側第２電気接点とグリッド側電気接点との接続信頼性の向上を図ることができる。
（１１）また、前記ワイヤ側電気接点は、それぞれ導電性の線状部材であり、並列配置される第１ワイヤ側電気接点および第２ワイヤ側電気接点を備えていてもよい。
【００２７】
このような構成によれば、簡易な構成でありながら、感光体カートリッジを備えるプロセスカートリッジが、装置本体に装着された状態において、本体側第１電気接点とワイヤ側電気接点とを確実に接触させることができ、本体側第１電気接点とワイヤ側電気接点との接続信頼性の向上を図ることができる。
（１２）本発明のプロセスカートリッジは、上記に記載の感光体カートリッジと、前記感光体カートリッジに着脱可能であり、前記感光体カートリッジに装着された状態において、前記感光体に対向配置される現像剤担持体を備える現像カートリッジと、を備えている。
【００２８】
このような構成によれば、高電圧が印加される帯電ワイヤとワイヤ側電気接点との間隔を短くしても、ワイヤ側電気接点とグリッド側電気接点との絶縁距離を確保することができる。
【００２９】
つまり、本発明の感光体カートリッジは、帯電ワイヤとワイヤ側電気接点との間隔を短くしても、ワイヤ側電気接点からグリッド側電気接点への電流のリークを防止することができる。
（１３）本発明の画像形成装置は、上記に記載のプロセスカートリッジと、前記プロセスカートリッジが着脱可能であり、本体側第１電気接点と本体側第２電気接点とを備える装置本体と、を備えている。
【００３０】
また、前記プロセスカートリッジが前記装置本体に装着された状態において、前記本体側第１電気接点と前記ワイヤ側電気接点とが接触し、前記本体側第１電気接点と前記帯電ワイヤとが電気的に接続されるとともに、前記本体側第２電気接点と前記グリッド側電気接点とが接触し、前記本体側第２電気接点と前記グリッドとが電気的に接続される。
【００３１】
このような構成によれば、高電圧が印加される帯電ワイヤとワイヤ側電気接点との間隔を短くしても、ワイヤ側電気接点とグリッド側電気接点との絶縁距離を確保することができる。
【００３２】
そのため、プロセスカートリッジが前記装置本体に装着された状態において、本体側第１電気接点とワイヤ側電気接点とが接触し、本体側第１電気接点と帯電ワイヤとが電気的に接続されるとともに、本体側第２電気接点とグリッド側電気接点とが接触し、本体側第２電気接点とグリッドとが電気的に接続されても、ワイヤ側電気接点からグリッド側電気接点への電流のリークを防止することができる。
【００３３】
従って、本発明の画像形成装置は、帯電ワイヤとワイヤ側電気接点との間隔を短くしても、ワイヤ側電気接点からグリッド側電気接点への電流のリークを防止することができる。
【発明の効果】
【００３４】
本発明の感光体カートリッジ、プロセスカートリッジおよび画像形成装置では、帯電ワイヤとワイヤ側電気接点との間隔を短くしても、ワイヤ側電気接点からグリッド側電気接点への電流のリークを防止することができる。
【図面の簡単な説明】
【００３５】
【図１】本発明の画像形成装置の一実施形態のプリンタを示す側断面図である。
【図２】本発明の感光体カートリッジの一実施形態の右上側から見た斜視図である。
【図３】図２に示す上フレームの平面図である。
【図４】図３に示す上フレームの右端部の拡大図である。
【図５】図３に示す上フレームの左端部の拡大図である。
【図６】図３に示す上フレームの右側面図である。
【図７】図３に示す上フレーム（グリッドを保持していない状態）の右下側から見た斜視図である。
【図８】図３に示すグリッドおよびグリッド電極の右上側から見た斜視図である。
【図９】図８に示すばね部材の左端部と突出部との拡大図であって、（ａ）は、ばね部材が収容部に収容される前の状態、（ｂ）は、ばね部材が収容部に収容された状態を示す。
【図１０】図３に示す上フレームの右上側から見た斜視図である。
【図１１】図３に示す上フレーム（グリッドを保持する状態）の右下側から見た斜視図である。
【図１２】本発明の感光体カートリッジの他の実施形態（被押圧面が傾斜している態様）におけるばね部材の左端部と突出部との拡大図であって、（ａ）は、ばね部材が収容部に収容される前の状態、（ｂ）は、ばね部材が収容部に収容された状態を示す。
【発明を実施するための形態】
【００３６】
１．プリンタ
図１に示すように、画像形成装置の一例としてのプリンタ１は、ダイレクトタンデムタイプのカラープリンタである。
【００３７】
なお、プリンタ１およびドラムカートリッジ２２（後述）に関し、方向について言及する場合には、それぞれ水平方向に載置したときの方向を基準とし、具体的には、各図に示した矢印方向を基準とする。また、左右方向と幅方向とは、同一方向である。
【００３８】
すなわち、プリンタ１に関する上下前後方向と、ドラムカートリッジ２２（後述）に関する上下前後方向とは相異なり、ドラムカートリッジ２２は、その前側がプリンタ１の前上側、その後側がプリンタ１の後下側となるように、プリンタ１に装着されている。
【００３９】
プリンタ１は、装置本体の一例としての本体ケーシング２を備え、その本体ケーシング２内には、感光体の一例としての４つの感光ドラム３が、前後方向に沿って並列配置されている。４つの感光ドラム３は、トナー像（後述）の各色（ブラック、イエロー、マゼンタまたはシアン）に対応して設けられている。
【００４０】
各感光ドラム３には、帯電器の一例としてのスコロトロン型帯電器４、ＬＥＤユニット５および現像剤担持体の一例としての現像ローラ６が対向配置されている。
【００４１】
感光ドラム３は、その表面がスコロトロン型帯電器４によって一様に帯電された後、ＬＥＤユニット５によって露光される。これにより、各感光ドラム３の表面には、画像データに基づく静電潜像が形成される。各静電潜像は、現像ローラ６に担持されるトナーによって可視像化され、感光ドラム３の表面上にトナー像が形成される。
【００４２】
用紙Ｐは、本体ケーシング２内の給紙カセット７に収容されている。給紙カセット７に収容されている用紙Ｐは、各種ローラにより、搬送ベルト８に給紙される。
【００４３】
搬送ベルト８は、各感光ドラム３と、それらに対向する転写ローラ９との間に配置されている。各感光ドラム３の表面上のトナー像は、転写ローラ９に印加された転写バイアスによって、搬送ベルト８に搬送された用紙Ｐ上に転写され、順次重ね合わされる。
【００４４】
４色のトナー像が転写された用紙Ｐは、定着部１０に搬送される。用紙Ｐ上に転写されたトナー像は、定着部１０で熱定着される。その後、用紙Ｐは、各種ローラにより、排紙トレイ１１に排紙される。
２．プロセスカートリッジ
プリンタ１は、各色（ブラック、イエロー、マゼンタまたはシアン）に対応して、４つのプロセスカートリッジ２１を備えている。
【００４５】
各プロセスカートリッジ２１は、本体ケーシング２内に着脱自在に装着されており、前後方向に沿って、並列配置されている。
【００４６】
すなわち、本体ケーシング２の上壁には、トップカバー５０が開閉自在に設けられており、トップカバー５０の開放により、各プロセスカートリッジ２１を、本体ケーシング２内に着脱させることができる。
【００４７】
プロセスカートリッジ２１は、本体ケーシング２に着脱自在に装着される、感光体カートリッジの一例としてのドラムカートリッジ２２と、ドラムカートリッジ２２に着脱自在に装着される現像カートリッジ２３とを備えている。
（１）現像カートリッジ
現像カートリッジ２３は、現像筐体３０を備えている。現像筐体３０は、上記した現像ローラ６や、供給ローラ１３、層厚規制ブレード１４およびアジテータ１２を備えている。
（２）ドラムカートリッジ
ドラムカートリッジ２２は、図２に示すように、フレームの一例としてのドラムフレーム２４を備えている。ドラムフレーム２４は、下フレーム４０と、下フレーム４０に組み合わされる上フレーム４１とから形成されている。
（２−１）下フレーム
下フレーム４０は、前側部分の現像カートリッジ収容部２６と、後側部分のドラム支持部２５とを備えている。
【００４８】
現像カートリッジ収容部２６は、現像カートリッジ２３が着脱自在に装着されるように、幅方向に間隔を隔てて対向配置される１対の前側側壁３１と、それら前側側壁３１の前側部分間に架設される前壁３２とを備えている。
【００４９】
１対の前側側壁３１は、その後側部分が前後方向に延びるように形成され、その前側部分が、後側部分の前端部から前方へ向かうに従って斜め上方へ延びるように形成されている。
【００５０】
前壁３２は、１対の前側側壁３１の前側部分の下端部に沿って、前方へ向かうに従って斜め上方へ傾斜するように、形成されている。
【００５１】
ドラム支持部２５は、幅方向に間隔を隔てて対向配置される１対の後側側壁２７と、それら後側側壁２７の後側部分間に架設される後壁２９とを備えている。
【００５２】
１対の後側側壁２７は、その前側部分が、前側側壁３１の後端部から後方へ延びるように形成され、その後側部分が、前側部分の後端部から後方へ向かうに従って斜め上方へ延びるように形成されている。
【００５３】
１対の後側側壁２７には、相対向する受部４２がそれぞれ形成されている。
【００５４】
受部４２は、１対の後側側壁２７の上端縁における前後方向中央部分において、下方に向かって窪む半円弧形状に形成されている。
【００５５】
後壁２９は、１対の後側側壁２７の後側部分の下端部に沿って、後方へ向かうに従って斜め上方へ傾斜するように形成されている。
【００５６】
また、ドラム支持部２５は、感光ドラム３と、ドラムクリーニングローラ１５とを備えている（図１参照）。
【００５７】
感光ドラム３は、左右方向に長手の略円筒形状に形成されている。そして、感光ドラム３は、下側から露出されるように、その左右両端部が受部４２に回転可能に支持されている。
【００５８】
ドラムクリーニングローラ１５は、左右方向に長手の略円筒形状に形成され、感光ドラム３の後側において、感光ドラム３と対向して接触するように配置されている（図１参照）。そして、ドラムクリーニングローラ１５の左右両端部が、１対の後側側壁２７に回転可能に支持されている。
（２−２）上フレーム
上フレーム４１は、幅方向に間隔を隔てて対向配置される１対の上フレーム側壁３３と、それら上フレーム側壁３３の上端部を連結する上壁２８とを備えている。
【００５９】
１対の上フレーム側壁３３は、略平板形状に形成され、その前側部分には、下フレーム４０と上フレーム４１とが組み合わされたとき（後述）に、受部４２と対応する半円弧部３９が形成されている。また、上フレーム側壁３３の後側部分は、前側部分の上側部分から連続して後側に延びる側面視略矩形状に形成されている。
【００６０】
半円弧部３９は、１対の上フレーム側壁３３の前側部分の下端縁において、上方に向かって窪む半円弧形状に形成されている。
【００６１】
上壁２８は、図３に示すように、左右方向に延びる平面視略矩形状に形成され、電極収容部４７と、第１ワイヤ保持部８５と、第２ワイヤ保持部８６と、グリッド保持部８７とを備えている。
【００６２】
電極収容部４７は、図４に示すように、上壁２８の右端部に設けられ、上壁２８の上面から側面視略コ字状に窪み（図６参照）、かつ、上壁２８の右端面から平面視略矩形状に窪むことにより形成されている。
【００６３】
電極収容部４７には、前後方向中央部分に隔壁５２が設けられている。
【００６４】
隔壁５２は、左右方向に沿って形成され、電極収容部４７の上面から上方に向かって突出する側面視略矩形状に形成されている。
【００６５】
そして、電極収容部４７は、隔壁５２より後側空間が、グリッド電極３５（後述）を収容するグリッド電極収容部４８として区画され、隔壁５２よりの前側空間が、ワイヤ電極３６（後述）を収容するワイヤ電極収容部４９として区画されている。
【００６６】
グリッド電極収容部４８は、ばね部材６０（後述）を収容する収容部７２と、収容部７２の後方に配置され、腕部６１が通過する溝部１１６と、溝部１１６に設けられ、屈曲部６２（後述）を保持する保持部７３とを備えている。
【００６７】
収容部７２は、隔壁５２を前壁とする略ボックス形状に形成され、上方が開放されている。
【００６８】
また、収容部７２は、図６に示すように、その左側壁に、突出部５４（後述）の通過を許容する、側面視略矩形状の開口１２７が形成され、その後壁の右側部分が、腕部６１（後述）の通過を許容するように切欠かれている（図４参照）。
【００６９】
溝部１１６は、収容部７２の後側に配置され、グリッド電極収容部４８の上壁２８の上面から側面視略コ字状に下方に窪むように形成されている。
【００７０】
保持部７３は、溝部１１６の上面から上方に突出するように形成されており、その上側部分が保持部分１１７として形成されている。
【００７１】
保持部分１１７は、側面視略矩形状に形成され、突条部７４を備えている。
【００７２】
突条部７４は、側面視略矩形状に形成され、図４および図６に示すように、保持部分１１７の上面および右面の前後方向中央部分からそれぞれ、上方および右方に突出するように形成されている。
【００７３】
ワイヤ電極収容部４９は、図４に示すように、ばね部６７（後述）を収容するばね収容部７８と、ばね収容部７８の前右側に配置され、屈曲部６８（後述）を保持する保持部７９とを備えている。
【００７４】
ばね収容部７８は、図６に示すように、ワイヤ電極収容部４９の前左側部分において（図４参照）、ワイヤ電極収容部４９の上壁２８の上面から突出し、前方に向かって屈曲する側面視略Ｌ字状に形成されている。
【００７５】
保持部７９は、ばね収容部７８の前側に配置され、支持部１１９と、保持部分１２０とを備えている。
【００７６】
支持部１１９は、図４に示すように、左右方向に沿う略平板形状に形成され、ワイヤ電極収容部４９の上壁２８の上面から上方に突出するように設けられている。
【００７７】
保持部分１２０は、側面視略矩形状に形成され、支持部１１９の右端面上側部分から連続して右方へ突出するように形成されている。また、保持部分１２０は、突条部８０を備えている。
【００７８】
突条部８０は、側面視略矩形状に形成され、上面、右面および下面の前後方向中央部分から、それぞれ上方、右方および下方に突出するように形成されている。
【００７９】
そして、ワイヤ電極収容部４９におけるばね収容部７８よりも後側の空間は、ワイヤ係合室８９として区画されている。ワイヤ係合室８９は、左右方向に連通されている。
【００８０】
第１ワイヤ保持部８５は、ワイヤ係合室８９の左端部から連続して設けられている。第１ワイヤ保持部８５は、平面視略矩形状に形成され、その前後方向中央部分には、図６に示すように、左右方向に沿って、側面視略Ｖ字状に窪む右側窪部１１２が形成されている。
【００８１】
第２ワイヤ保持部８６は、図３に示すように、上壁２８の左端部に設けられ、上壁２８の上面から側面視略コ字状に窪むことにより形成され、左右方向に連通されている（図１０参照）。
【００８２】
第２ワイヤ保持部８６は、図５に示すように、グリッド規制部１２４と、ワイヤ係止部９２とを備えている。
【００８３】
グリッド規制部１２４は、第２ワイヤ保持部８６の右端面に設けられ、その右端面から右方に突出する略平板形状に形成されている。
【００８４】
ワイヤ係止部９２は、第２ワイヤ保持部８６の上面における左右方向中央部分に設けられている。ワイヤ係止部９２は、図１０に示すように、平面視略矩形状に形成され、その前後方向中央部分には、左右方向に沿って、側面視略Ｖ字状に窪む左側窪部１１３が形成されている。
【００８５】
また、ワイヤ係止部９２は、ワイヤ係止部９２の左側窪部１１３と、第１ワイヤ保持部８５の右側窪部１１２とが、左右方向に投影したときに一致するように配置されている。
【００８６】
グリッド保持部８７は、図３に示すように、第１ワイヤ保持部８５と第２ワイヤ保持部８６との間に設けられている。
【００８７】
グリッド保持部８７は、図７に示すように、前後方向に互いに間隔を隔てて対向配置される１対のグリッド支持壁９４を備えている。
【００８８】
１対のグリッド支持壁９４は、左右方向に延びる略平板形状に形成され、上壁２８の下面から下方へ延びるように形成されている。１対のグリッド支持壁９４の前後方向における間隔は、第１ワイヤ保持部８５および第２ワイヤ保持部８６の前後方向長さよりも長く形成されている。そして、１対のグリッド支持壁９４は、左右方向に投影したときに、第１ワイヤ保持部８５および第２ワイヤ保持部８６が、各グリッド支持壁９４の間に位置するように配置されている。
【００８９】
各グリッド支持壁９４は、縁部１０５と、位置決め突部１００と、位置決め壁１０３とを備えている。
【００９０】
各縁部１０５は、各グリッド支持壁９４の上端部に沿って設けられ、各グリッド支持壁９４の対向方向（前後方向）内方へ延びるように形成されている。そして、各縁部１０５の前後方向内側縁の間は、開口部１０４として区画されている。
【００９１】
また、各縁部１０５には、その左端部に、グリッド１７（後述）の規制突部１２３（後述）に対応するように、被嵌合部９３が形成されている。
【００９２】
被嵌合部９３は、図５に示すように、被嵌合穴１１０と、被嵌合穴１１０の周端部から突出する凸部１１５とを備えている。
【００９３】
被嵌合穴１１０は、平面視略矩形状に形成され、各縁部１０５を上下方向に貫通するように形成されている。凸部１１５は、各被嵌合穴１１０の前後方向外側端縁における左右方向中央部分から、前後方向内方に向かって突出する平面視略矩形状に形成されている。
【００９４】
位置決め突部１００は、図７に示すように、各グリッド支持壁９４の左右両端部に設けられている。
【００９５】
位置決め突部１００は、側面視略矩形状に形成され、各グリッド支持壁９４の下端部において、前後方向内側面から、前後方向内方へ向かって突出形成されている。
【００９６】
また、位置決め壁１０３は、各グリッド支持壁９４の左端部に設けられている。
【００９７】
位置決め壁１０３は、各グリッド支持壁９４の左端部に沿って設けられ、各グリッド支持壁９４の左端部から前後方向内方へ延びるように、それぞれ形成されている。
【００９８】
そして、位置決め壁１０３と、左側の位置決め突部１００とは、直交するように配置されており、位置決め壁１０３と第２ワイヤ保持部８６とは連結されている。
【００９９】
また、各グリッド支持壁９４には、前後方向内側面に係合溝１０１が形成されている。
【０１００】
係合溝１０１は、各グリッド支持壁９４の左右方向中央部分に設けられ、平面視略コ字状に窪み上下方向に延びる下側部分と、側面視略コ字状に窪み、下側部分の上端部から連続して左方に延びる上側部分とから形成されている。
【０１０１】
また、上フレーム４１は、図３に示すように、スコロトロン型帯電器４と、グリッド電極３５と、ワイヤ電極３６と、電極カバー３７（図２参照）とを備えている。
（２−３）スコロトロン型帯電器
スコロトロン型帯電器４は、帯電ワイヤ１６と、グリッド１７とを備えている。
【０１０２】
帯電ワイヤ１６は、ワイヤ９０と、そのワイヤ９０の左右両端部にそれぞれ設けられる２つのリングフック９１とを備えている。
【０１０３】
ワイヤ９０は、例えば、タングステンワイヤから形成されている。
【０１０４】
２つのリングフック９１は、左右方向外側部分が略円環形状に形成され、左右方向内側部分が略矩形状に形成されている（図４参照）。
【０１０５】
グリッド１７は、図８に示すように、枠部９５と、枠部９５に支持される線条部９６とを一体的に備えている。
【０１０６】
枠部９５は、上方に開放される側面視略コ字状に形成され、前後方向に互いに間隔を隔てて対向する１対の側板９７と、各側板９７の右端部において、それらの下端部間を前後方向に架設する右底板９８と、各側板９７の左端部において、それらの下端部間を前後方向に架設する左底板９９とを一体的に備えている。
【０１０７】
１対の側板９７は、左右方向に延びる略平板形状に形成され、その上端部には、規制突部１２３および突部１０９がそれぞれ形成されている。
【０１０８】
規制突部１２３は、各側板９７の左側部分において、各側板９７の上端部から上方に向かって突出するように、相対向して形成されている。各規制突部１２３の遊端部は、１対の側板９７の対向方向（前後方向）内方に向けて、それぞれ屈曲している。
【０１０９】
突部１０９は、各側板９７の左右方向中央部分において、各側板９７の上端部から、それぞれ１対の側板９７の対向方向（前後方向）外方にむかって突出するように形成されている。
【０１１０】
また、１対の側板９７のうち、後側の側板９７には、突出部５４が設けられている。
【０１１１】
突出部５４は、図９に示すように、被押圧部１１１と、係合部１０２とから形成されている。
【０１１２】
被押圧部１１１は、後側の側板９７の右端部から連続して、右方へ突出する側面視略矩形状に形成されている。
【０１１３】
係合部１０２は、被押圧部１１１の右端部における上下方向中央部分から、右方へ突出する側面視略矩形状に形成されている。
【０１１４】
また、被押圧部１１１の右端部において、係合部１０２よりも上側および下側の部分が、被押圧面１１４としてそれぞれ形成されている。２つの被押圧面１１４は、上下方向に沿うように形成されている。
【０１１５】
右底板９８および左底板９９は、図８に示すように、略平板形状に形成されている。左底板９９の左右方向長さは、右底板９８の左右方向長さよりも短く形成されている。
【０１１６】
線条部９６は、右底板９８と左底板９９との間に設けられ、前後方向に間隔を隔てて配置され、左右方向に沿う複数の線状部材から形成されている。
【０１１７】
そして、スコロトロン型帯電器４は、図３に示すように、帯電ワイヤ１６が、第１ワイヤ保持部８５および第２ワイヤ保持部８６に保持されるとともに、図１１に示すように、グリッド１７がグリッド保持部８７に保持されることにより、上フレーム４１に支持されている。
（２−３−１）スコロトロン型帯電器の組み付け
次に、スコロトロン型帯電器４の上フレーム４１に対する組み付けについて説明する。
【０１１８】
スコロトロン型帯電器４を上フレーム４１に組み付けるには、まず、グリッド１７をグリッド保持部８７に組み付ける。
【０１１９】
グリッド１７をグリッド保持部８７に組み付けるには、まず、グリッド１７の右底板９８が、右側の位置決め突部１００の上方を、左側から右側に向けて通過するように、グリッド１７をグリッド保持部８７に斜めに挿入する。
【０１２０】
次いで、グリッド１７を、右底板９８を支点として、正面視時計方向に回動させる。
【０１２１】
そうすると、グリッド１７の突部１０９が、係合溝１０１に下側から挿通され、係合溝１０１の上側部分に到達する（図７参照）。
【０１２２】
このとき、規制突部１２３は、その上端部が凸部１１５の下端部と、上下方向において対向接触する。
【０１２３】
次いで、グリッド１７をグリッド支持壁９４に対して、左方に移動させる。
【０１２４】
そうすると、図１１に示すように、右底板９８および左底板９９の前後方向両端部が、各位置決め突部１００の上側に配置され、左底板９９の左端部が、第２ワイヤ保持部８６のグリッド規制部１２４と位置決め突部１００との間に挟まれる（図５参照）。また、突部１０９が、係合溝１０１の上側部分の左端部に到達し、係合溝１０１の上面に支持される。
【０１２５】
このとき、規制突部１２３は、図５に示すように、凸部１１５を乗り越えて、被嵌合穴１１０に挿通される。これによって、規制突部１２３が被嵌合穴１１０における凸部１１５の左側に配置され、規制突部１２３と凸部１１５とが係合することで、上フレーム４１に対する右方へのグリッド１７の相対移動が規制される。
【０１２６】
以上によって、グリッド１７がグリッド保持部８７に組み付けられる。
【０１２７】
このとき、グリッド１７の突出部５４は、図６に示すように、開口１２７を介して、収容部７２内に配置されている。
【０１２８】
次いで、図３に示すように、帯電ワイヤ１６を第１ワイヤ保持部８５および第２ワイヤ保持部８６に組み付ける。なお、帯電ワイヤ１６は、後述するワイヤ電極３６の組み付け後に組み付けてもよい。
【０１２９】
帯電ワイヤ１６を第１ワイヤ保持部８５および第２ワイヤ保持部８６に組み付けるには、まず、帯電ワイヤ１６の左端部を、第２ワイヤ保持部８６に保持させる。
【０１３０】
詳しくは、図５に示すように、左側のリングフック９１がワイヤ係止部９２の左側に位置するように、ワイヤ９０の左端部を上側から左側窪部１１３に挿通する。
【０１３１】
そうすると、帯電ワイヤ１６が、ワイヤ電極３６のばね部６７により右方へ引っ張られたとき（後述）に、左側のリングフック９１がワイヤ係止部９２の左端部と当接して、帯電ワイヤ１６の右方への移動が規制される。これにより、帯電ワイヤ１６の左端部が、第２ワイヤ保持部８６に保持される。
【０１３２】
次いで、帯電ワイヤ１６の右端部を、第１ワイヤ保持部８５に保持させる。
【０１３３】
詳しくは、図４に示すように、右側の側のリングフック９１がワイヤ係合室８９に配置されるように、ワイヤ９０の右端部を上側から右側窪部１１２に挿通する。これにより、帯電ワイヤ１６の右端部が、第１ワイヤ保持部８５に保持される。
【０１３４】
そうすると、図３に示すように、帯電ワイヤ１６が上フレーム４１において、左右方向に沿って配置される。
【０１３５】
以上によって、帯電ワイヤ１６が、第１ワイヤ保持部８５および第２ワイヤ保持部８６に組み付けられる。このとき、グリッド１７の線条部９６と帯電ワイヤ１６のワイヤ９０とは、上下方向に間隔を隔てて対向配置されている（図１参照）。
（２−４）グリッド電極
グリッド電極３５は、図４に示すように、付勢部材の一例としてのばね部材６０と、腕部６１と、屈曲部６２とが、１本の導電性の線状部材から形成されている。つまり、グリッド電極３５は、グリッド１７と別部材として設けられている。
【０１３６】
ばね部材６０は、左右方向に延びる空心コイルばね形状に形成されている。ばね部材６０は、図９（ａ）に示すように、その左端部において、下側に線状部材の一端が位置するように形成されており、下側左端部が上側左端部よりも僅かに左側に位置している。
【０１３７】
腕部６１は、図４および図６に示すように、ばね部材６０の右端部から後方へ延びるように形成された後、右下方へ延びるように形成されている。
【０１３８】
屈曲部６２は、図４に示すように、腕部６１の右端部から連続して形成されており、グリッド側電気接点の一例としての第１グリッド側電気接点６３および第２グリッド側電気接点６４と、連結部分６５とを備えている。
【０１３９】
第１グリッド側電気接点６３および第２グリッド側電気接点６４は、図６に示すように、それぞれ上下方向に沿って形成され、互いに並列配置されている。
【０１４０】
そして、第１グリッド側電気接点６３および第２グリッド側電気接点６４の上端部が、図４に示すように、連結部分６５により連結されている。
【０１４１】
連結部分６５は、平面視略Ｕ字状に形成され、第１グリッド側電気接点６３および第２グリッド側電気接点６４の上端部から左方へ屈曲するように形成されている。
【０１４２】
そして、腕部６１と屈曲部６２とは、腕部６１の右端部と第１グリッド側電気接点６３の下端部とが連結されることにより連続している。すなわち、腕部６１は、ばね部材６０と、第１グリッド側電気接点６３および第２グリッド側電気接点６４とを連結している。
【０１４３】
そして、グリッド電極３５は、グリッド電極収容部４８に収容されて、上フレーム４１に支持されている。
（２−４−１）グリッド電極の組み付け
次に、グリッド電極３５のグリッド電極収容部４８に対する組み付けについて説明する。
【０１４４】
グリッド電極３５をグリッド電極収容部４８に組み付けるには、図１０に示すように、まず、ばね部材６０を収容部７２に収容する。
【０１４５】
ばね部材６０を収容部７２に収容するには、グリッド１７の係合部１０２がばね部材６０と係合するように（図８参照）、ばね部材６０を右上方から収容部７２に挿入する。
【０１４６】
このとき、ばね部材６０は、図８に示すように、その軸線方向が左右方向と一致するように配置される。
【０１４７】
また、図９（ｂ）に示すように、各被押圧面１１４は、ばね部材６０の左端部における上下両端部と当接されている。これにより、グリッド１７とグリッド電極３５とは電気的に接続されている。そして、ばね部材６０は、その左端部下側に線状部材の一端が位置するように形成されているので、図示しないが、僅かに上方に盛り上がるように撓んでいる。
【０１４８】
そうすると、ばね部材６０の付勢力が、各被押圧面１１４を介して、枠部９５に作用する。すなわち、グリッド１７がばね部材６０により左右方向に沿って付勢される。
【０１４９】
また、ばね部材６０は、僅かに上方に盛り上がるように撓んでいるので、枠部９５を左右方向に付勢するとともに、枠部９５（側板９７）を図９（ｂ）において矢印で示す方向Ｘ（左下方）に向けて付勢する。すなわち、グリッド１７が、ばね部材６０によりグリッド支持壁９４の位置決め突部１００に向けて付勢される。
【０１５０】
これにより、図１１に示すように、グリッド１７が上フレーム４１に対して左方に付勢され、両側板９７の左端部が位置決め壁１０３に、左底板９９が位置決め突部１００に、それぞれ圧接される。
【０１５１】
また、図５に示すように、グリッド１７の各規制突部１２３の左端部が、被嵌合穴１１０の左端部と当接し、上フレーム４１に対する左方へのグリッド１７の相対移動が規制される。これにより、グリッド１７が上フレーム４１に対して左右方向に位置決めされる。
【０１５２】
また、右側板９８および左底板９９の下面における前後両端部は、各位置決め突部１００の上側に配置され、各位置決め突部１００に支持される。そのため、グリッド１７が上フレーム４１に対して上下方向に位置決めされる。
【０１５３】
すなわち、グリッド１７は、上フレーム４１に対して、左右方向および上下方向に位置決めされており、下フレーム４０と上フレーム４１とが組み合わされたとき（後述）に、下フレーム４０に支持される感光ドラム３との相対配置が位置決めされている。
【０１５４】
これにより、ばね部材６０が収容部７２に収容される。
【０１５５】
次いで、屈曲部６２を保持部７３に保持させる。
【０１５６】
屈曲部６２を保持部７３に保持させるには、図１０で示すように、係合部１０２と係合した状態のばね部材６０を回動させることにより、屈曲部６２を腕部６１とともに回動させて、屈曲部６２を保持部分１１７に保持させる。
【０１５７】
このとき、保持部分１１７の突条部７４が、第１グリッド側電気接点６３と第２グリッド側電気接点６４との間、および、連結部７５間に配置されている（図４参照）。そのため、屈曲部６２は、保持部７３に対する前後方向および左右方向の相対移動が規制されている。
【０１５８】
これにより、屈曲部６２が保持部７３に保持される。換言すれば、第１グリッド側電気接点６３および第２グリッド側電気接点６４は、保持部７３に保持されている。
【０１５９】
以上により、グリッド電極３５がグリッド電極収容部４８に組み付けられる。
（２−５）ワイヤ電極
ワイヤ電極３６は、図４に示すように、ばね部６７と、ワイヤ接続部６６と、腕部６９と、屈曲部６８とが、１本の導電性の線状部材から形成されている。
【０１６０】
ばね部６７は、図６に示すように、上下方向に延びる空心コイルばね形状に形成されている。
【０１６１】
ワイヤ接続部６６は、ばね部６７の前側下端部から連続して、後方へ延びるように形成され、その後端部が、上方に屈曲する鉤状の鉤状部１２１として形成されている。
【０１６２】
腕部６９は、ばね部６７の後側上端部から連続して、前下側に向かって延びるように形成された後、右方へ延びるように形成されている（図４参照）。
【０１６３】
屈曲部６８は、腕部６９の右端部から連続して形成され、ワイヤ側電気接点の一例としての第１ワイヤ側電気接点７６および第２ワイヤ側電気接点７７と、連結部分８１とを備えている（図４参照）。
【０１６４】
第１ワイヤ側電気接点７６および第２ワイヤ側電気接点７７は、それぞれ上下方向に沿って形成され、互いに並列配置されている。
【０１６５】
そして、第１ワイヤ側電気接点７６および第２ワイヤ側電気接点７７の上端部が、連結部分８１により連結されている。
【０１６６】
連結部分８１は、図４に示すように、平面視略Ｕ字状に形成され、第１ワイヤ側電気接点７６および第２ワイヤ側電気接点７７の上端部から左方へ屈曲するように形成されている。そして、腕部６９と屈曲部６８とは、腕部６１の右端部と第１ワイヤ側電気接点７６の下端部とが連結されることにより、連続している。
【０１６７】
そして、ワイヤ電極３６は、ワイヤ電極収容部４９に収容されて、上フレーム４１に支持されている。
（２−５−１）ワイヤ電極の組み付け
次に、ワイヤ電極３６のワイヤ電極収容部４９に対する組み付けについて説明する。
【０１６８】
ワイヤ電極３６をワイヤ電極収容部４９に組み付けるには、図６に示すように、ワイヤ接続部６６がワイヤ係合室８９内に配置され、ばね部６７がばね収容部７８の前側に配置され、屈曲部６８が保持部７９に保持されるように、ワイヤ電極収容部４９に対して、右側からワイヤ電極３６をワイヤ電極収容部４９に挿入する。
【０１６９】
このとき、保持部分１２０の突条部８０が、第１ワイヤ側電気接点７６と第１ワイヤ側電気接点７７との間、および、連結部分８１間に配置されている（図４参照）。そのため、屈曲部６８は、保持部７９に対する前後方向および左右方向の相対移動が規制されている。
【０１７０】
以上により、ワイヤ電極３６がワイヤ電極収容部４９に収容される。
【０１７１】
そして、ワイヤ係合室８９内において、ワイヤ接続部６６の鉤状部１２１と、帯電ワイヤ１６の右側のリングフック９１とを係合させる。これにより、帯電ワイヤ１６とワイヤ電極３６とは電気的に接続される。
【０１７２】
そうすると、ばね部６７の付勢力により、帯電ワイヤ１６が右方へ引っ張られる。上記したように帯電ワイヤ１６の左端部が、ワイヤ係止部９２により右方への移動が規制されるように、第１ワイヤ保持部８５に保持されているので、帯電ワイヤ１６は、第１ワイヤ保持部８５と第２ワイヤ保持部８６との間に、左右方向に沿って張り渡される。
【０１７３】
このとき、図６に示すように、右方から見て、前後方向において、帯電ワイヤ１６の右端部（鉤状部１２１とリングフック９１との係合部分）と第１ワイヤ側電気接点７６との間隔が、帯電ワイヤ１６の右端部と第１グリッド側電気接点６３との間隔よりも短く形成されている。
【０１７４】
具体的には、右方から見て、前後方向において、帯電ワイヤ１６の右端部と第１ワイヤ側電気接点７６の上下方向中央部分とを結ぶ線分Ｌ１の長さが、帯電ワイヤ１６の右端部と第１グリッド側電気接点６３の上下方向中央部分とを結ぶ線分Ｌ２の長さよりも短く形成されている。
【０１７５】
また、左右方向に投影したときに、線分Ｌ１と線分Ｌ２とが形成する角度θが、９０度以上１８０度以下、具体的には、１７７度に形成されている。
（２−６）電極カバー
電極カバー３７は、図２に示すように、上フレーム４１に着脱可能に設けられている。電極カバー３７は、正面視略Ｌ字状の平板形状に形成され、上フレーム４１に装着されたときに、第１グリッド側電気接点６３および第２グリッド側電気接点６４と対応する部分に第１開口部８２が形成され、第１ワイヤ側電気接点７６および第２ワイヤ側電気接点７７と対応する部分に第２開口部８３が形成されている。
【０１７６】
第１開口部８２および第２開口部８３は、側面視略矩形状に形成され、左右方向に貫通して形成されている。
（２−６−１）電極カバーの装着
電極カバー３７を上フレーム４１に装着するには、グリッド電極収容部４８およびワイヤ電極収容部４９を被覆するように、電極カバー３７を上側から上壁２８に装着する。
【０１７７】
これにより、図２に示すように、電極カバー３７が上フレーム４１に装着される。
【０１７８】
そうすると、第１開口部８２から、第１グリッド側電気接点６３および第２グリッド側電気接点６４が露出され、第２開口部８３から第１ワイヤ側電気接点７６および第２ワイヤ側電気接点７７が露出される。
（２−７）ドラムカートリッジの組み立て
次に、ドラムカートリッジ２２の組み立てについて説明する。
【０１７９】
ドラムカートリッジ２２を組み立てるには、上記した下フレーム４０と上フレーム４１とを組み合わせる。具体的には、下フレーム４０のドラム支持部２５を被覆するように、上側から上フレーム４１を下フレーム４０に組み合わせる。このとき、下フレーム４０の各受部４２と上フレーム４１の各半円弧部３９とは、側面視略略円形状に形成される。
【０１８０】
また、図１に示すように、グリッド１７の線条部９６は、感光ドラム３と帯電ワイヤ１６との間に配置されている。つまり、位置決め突部１００は、枠部９５の感光ドラム３側の表面を支持している。
【０１８１】
以上によって、下フレーム４０と上フレーム４１とが組み合わされて、ドラムカートリッジ２２が組み立てられる。
【０１８２】
このとき、上フレーム４１は下フレーム４０に対して位置決めされており、上フレーム４１に位置決めされるグリッド１７と、下フレーム４０に支持される感光ドラム３とは、上フレーム４１および下フレーム４０を介して、位置決めされている。
（３）本体ケーシングに対するプロセスカートリッジの装着
プロセスカートリッジ２１を本体ケーシング２に装着するには、トップカバー５０を開放して、対応する位置にプロセスカートリッジ２１を上側から挿入する。
【０１８３】
そして、プロセスカートリッジ２１を所定位置まで挿入させた後、トップカバー５０を閉鎖させる。
【０１８４】
以上により、本体ケーシング２に対するプロセスカートリッジ２１の装着が完了する。
【０１８５】
このとき、図２に示すように、本体ケーシング２に設けられる本体側第１電気接点１２９と、第１ワイヤ側電気接点７６および第２ワイヤ側電気接点７７とが、接触して電気的に接続される。また、本体ケーシング２に設けられる本体側第２電気接点１３０と、第１グリッド側電気接点６３および第２グリッド側電気接点６４とが、接触して電気的に接続される。
３．作用効果
（１）このドラムカートリッジ２２によれば、図６に示すように、前後方向において、帯電ワイヤ１６の右端部（鉤状部１２１とリングフック９１との係合部分）と、第１ワイヤ側電気接点７６の上下方向中央部分とを結ぶ線分Ｌ１の長さが、帯電ワイヤ１６の右端部と第１グリッド側電気接点６３の上下方向中央部分とを結ぶ線分Ｌ２の長さよりも短く形成されている。
【０１８６】
そのため、第１ワイヤ側電気接点７６と第１グリッド側電気接点６３との絶縁距離を確保することができる。つまり、グリッド１７の右端部（ばね部材６０と係合部１０２との係合部分）と第１グリッド側電気接点６３との間隔を長く形成して、帯電ワイヤ１６の右端部と第１グリッド側電気接点６３とを離間することで、第１ワイヤ側電気接点７６と第１グリッド側電気接点６３との絶縁距離を確保することができる。
【０１８７】
従って、ドラムカートリッジ２２は、帯電ワイヤ１６の右端部と第１ワイヤ側電気接点７６との間隔を短くしても、第１ワイヤ側電気接点７６から第１グリッド側電気接点６３への電流のリークを防止することができる。
【０１８８】
なお、第１ワイヤ側電気接点７６と第１グリッド側電気接点６３との間隔よりも長い間隔が設けられる、第１ワイヤ側電気接点７６と第２グリッド側電気接点６４、第２ワイヤ側電気接点７７と第１グリッド側電気接点６３、および、第２ワイヤ側電気接点７７と第２グリッド側電気接点６４についても、電流のリークを防止することができる。
（２）また、左右方向に投影したときに、帯電ワイヤ１６の右端部と第１ワイヤ側電気接点７６の上下方向中央部分とを結ぶ線分Ｌ１と、帯電ワイヤ１６の右端部と第１グリッド側電気接点６３の上下方向中央部分とを結ぶ線分Ｌ２とが形成する角度θが、９０度以上１８０度以下、具体的には、１７７度に形成されている。
【０１８９】
そのため、第１ワイヤ側電気接点７６と第１グリッド側電気接点６３との絶縁距離を、確実に確保することができる。
（３）また、グリッド電極３５は、グリッド１７と別部材として設けられている。
【０１９０】
そのため、グリッド１７と第１グリッド側電気接点６３とを容易に離間して配置することができる。その結果、第１ワイヤ側電気接点７６と第１グリッド側電気接点６３との絶縁距離を、確実に確保することができる。
（４）また、グリッド電極３５は、ばね部材６０を備えている。
【０１９１】
ばね部材６０は、導電性の線状部材から左右方向に延びる空心コイル形状に形成されており、グリッド１７の後側の側板９７の右端部を左右方向に沿って付勢する。
【０１９２】
そのため、ばね部材６０の付勢力により、グリッド１７の左端部が位置決め壁１０３に圧接されて、グリッド１７のガタつきが抑制されるとともに、グリッド１７を上フレーム４１に対して位置決めできる。
【０１９３】
その結果、上フレーム４１と下フレーム４０とを組み合わせたときに、グリッド１７と感光ドラム３との位置決め精度の向上を図ることができる。
（５）また、グリッド１７には、その後側の側板９７の右端面に係合部１０２が設けられている。そして、係合部１０２とばね部材６０とは係合する。
【０１９４】
そのため、グリッド電極３５とグリッド１７とは、係合部１０２を介して、電気的に接続される。つまり、グリッド電極３５とグリッド１７との接続信頼性の向上を図ることができる。
（６）また、上フレーム４１のグリッド保持部８７の縁部１０５には、被嵌合部９３が設けられている。被嵌合部９３は、被嵌合穴１１０と凸部１１５とを備えている。
【０１９５】
また、グリッド１７の枠部９５の上端部には、規制突部１２３が設けられている。そして、規制突部１２３は、図５に示すように、グリッド１７がグリッド保持部８７に保持されたときに、被嵌合穴１１０に挿通される。そうすると、規制突部１２３の右端部が凸部１１５の左端部と係合することで、グリッド１７の上フレーム４１に対する右方への相対移動が規制され、規制突部１２３の左端部が被嵌合穴１１０の左端部と当接することで、
グリッド１７の上フレーム４１に対する左方への相対移動が規制される。
【０１９６】
つまり、上フレーム４１に対するグリッド１７の左右方向の相対移動が規制できる。
【０１９７】
その結果、上フレーム４１と下フレーム４０とを組み合わせたときに、グリッド１７と感光ドラム３との位置決め精度の向上を図ることができる。
（７）また、上フレーム４１のグリッド支持壁９４は、その左右両端部における下端部に位置決め突部１００を備えている。そして、各位置決め突部１００は、グリッド１７がグリッド保持部８７に保持されたときに、右底板９８および左底板９９の下面を支持する。つまり、位置決め突部１００は、枠部９５の最も感光ドラム３の近傍に位置する表面を支持する。
【０１９８】
そのため、簡易な構成でありながら、グリッド１７の線条部９６と感光ドラム３との間隔を精度よく設定できるので、感光ドラム３に対するグリッド１７の位置決め精度の向上を図ることができる。
（８）また、上フレーム４１は、収容部７２と保持部７３とを備え、グリッド電極３５は、ばね部材６０と第１グリッド側電気接点６３および第２グリッド側電気接点６４とを連結し、それらと一体として形成される導電性の腕部６１を備えている。
【０１９９】
そして、ばね部材６０は、収容部７２に収容された状態で回動可能であり、ばね部材６０の回動に伴ない、第１グリッド側電気接点６３および第２グリッド側電気接点６４とが保持部７３に保持される。
【０２００】
そのため、グリッド電極３５を上フレーム４１に組み付ける作業の円滑化を図ることができ、ばね部材６０および第１グリッド側電気接点６３および第２グリッド側電気接点６４を所定の位置に配置することができる。
（９）また、第１グリッド側電気接点６３および第２グリッド側電気接点６４は、それぞれ導電性の線状部材であり、並列配置されている。
【０２０１】
そのため、簡易な構成でありながら、プロセスカートリッジ２１が、本体ケーシング２
に装着された状態において、本体側第２電気接点１３０と、第１グリッド側電気接点６３および第２グリッド側電気接点６４とを確実に接触させることができ、本体側第２電気接点１３０と、第１グリッド側電気接点６３および第２グリッド側電気接点６４との接続信頼性の向上を図ることができる。
（１０）また、第１ワイヤ側電気接点７６および第２ワイヤ側電気接点７７は、それぞれ導電性の線状部材であり、並列配置されている。
【０２０２】
そのため、簡易な構成でありながら、プロセスカートリッジ２１が、本体ケーシング２
に装着された状態において、本体側第１電気接点１２９と、第１ワイヤ側電気接点７６および第２ワイヤ側電気接点７７とを確実に接触させることができ、本体側第１電気接点１２９と、第１ワイヤ側電気接点７６および第２ワイヤ側電気接点７７との接続信頼性の向上を図ることができる。
（１１）プロセスカートリッジ２１およびプリンタ１は、ドラムカートリッジ２２を備えている。
【０２０３】
そのため、帯電ワイヤ１６の右端部と第１ワイヤ側電気接点７６との間隔、具体的には、帯電ワイヤ１６の右端部と第１ワイヤ側電気接点７６の上下方向中央部分とを結ぶ線分Ｌ１の長さを短くしても、第１ワイヤ側電気接点７６から第１グリッド側電気接点６３への電流のリークを防止することができる。
４．変形例
また、上記したドラムカートリッジ２２では、グリッド１７における２つの被押圧面１１４が上下方向に沿ってそれぞれ形成されていたが、図１２に示すように、２つの被押圧面１１４が、上方へ向かうに従って左方へ傾斜するように形成されていてもよい。
【０２０４】
この変形例では、ばね部材６０が、図１２（ｂ）に示すように、収容部７２に収容された状態において、被押圧面１１４の傾斜により、側板９７を図１２（ｂ）において矢印で示す方向Ｘ（左下方）に向けて付勢する。つまり、グリッド１７が、グリッド支持壁９４の位置決め突部１００に向けて付勢される。
【０２０５】
そのため、上記の実施形態と比較して、グリッド１７を上フレーム４１に対してより精度よく位置決めできる。
【符号の説明】
【０２０６】
１      プリンタ
２      本体ケーシング
３      感光ドラム
４      スコロトロン型帯電器
６      現像ローラ
１６    帯電ワイヤ
１７    グリッド
２１    プロセスカートリッジ
２２    ドラムカートリッジ
１３    供給ローラ
１６    ゴムローラ
２１    プロセスカートリッジ
２２    ドラムカートリッジ
２３    現像カートリッジ
２４    ドラムフレーム
３５    グリッド電極
３６    ワイヤ電極
６０    ばね部材
６１    腕部
６３    第１グリッド側電気接点
６４    第２グリッド側電気接点
７２    収容部
７３    保持部
７６    第１ワイヤ側電気接点
７７    第２ワイヤ側電気接点
９３    被嵌合部
９５    枠部
９６    線条部
１０２  係合部
１２９  本体側第１電気接点
１３０  本体側第２電気接点
Ｌ１    帯電ワイヤと第１ワイヤ側電気接点とを結ぶ線分
Ｌ２    帯電ワイヤと第１グリッド側電気接点とを結ぶ線分
θ      線分Ｌ１と線分Ｌ２とが形成する角度
【図１】
0005982756.tif 000002
【図２】
0005982756.tif 000003
【図３】
0005982756.tif 000004
【図４】
0005982756.tif 000005
【図５】
0005982756.tif 000006
【図６】
0005982756.tif 000007
【図７】
0005982756.tif 000008
【図８】
0005982756.tif 000009
【図９】
0005982756.tif 000010
【図１０】
0005982756.tif 000011
【図１１】
0005982756.tif 000012
【図１２】
0005982756.tif 000013